(57)【要約】【課題】平衡な充分な弾力を受け、位置を変え難い複数の導電端子を含む電気コネクタを提供すること。【解決手段】本考案による電気コネクタは、複数の収納槽が形成される絶縁本体と、絶縁本体の収納槽に収納される複数の導電端子と、を備える。前記各導電端子は、接触部と、主体部と、主体部から下向きに延在する尾部と、接触部の対向する両側から対称に下向きに延在して主体部を連接し、互いに離れる少なくとも一対の弾力部と、を含む。各弾力部は、互いに連続する少なくとも三つのＵ字形の折れ曲げ部から形成される。【選択図】図２
0003120893.tif 000002
【実用新案登録請求の範囲】
【請求項１】
電気コネクタであって、
複数の収納槽が形成される絶縁本体と、
絶縁本体の収納槽に収納される複数の導電端子と、を備え、
前記各導電端子は、
接触部と、
主体部と、
主体部から下向きに延在する尾部と、
接触部の対向する両側から対称に下向きに延在して主体部を連接し、互いに離れる少なくとも一対の弾力部と、を含むことを特徴とする電気コネクタ。
【請求項２】
前記各弾力部は、互いに連続する少なくとも三つのＵ字形の折れ曲げ部から形成されることを特徴とする、請求項１に記載の電気コネクタ。
【請求項３】
前記少なくとも一対の弾力部は、同じ方向に向かって平行に延在することを特徴とする、請求項２に記載の電気コネクタ。
【請求項４】
前記少なくとも一対の弾力部は、対向する方向に向かって対称に延在することを特徴とする、請求項２に記載の電気コネクタ。
【請求項５】
前記主体部には、スロットと、水平に延在し、該対の弾力部の末端を連接する連接部と、を含むことを特徴とする、請求項２に記載の電気コネクタ。
【請求項６】
前記主体部には、収納槽を接触する複数のクリック部が設けられることを特徴とする、請求項５に記載の電気コネクタ。
【請求項７】
前記各導電端子は、接触部の対向する側辺から対称に設置する少なくとも一対の肩部を含み、
前記弾力部は、対応する肩部から下向きに延在することを特徴とする、請求項２に記載の電気コネクタ。
【請求項８】
前記収納槽に収納される導電端子は、横方向に沿って互いに交錯することを特徴とする、請求項２に記載の電気コネクタ。
【請求項９】
前記絶縁本体の頂壁には、収納槽を対応する第１スロットが形成され、
導電端子の接触部は、第１スロットから上向きに突出することを特徴とする、請求項１に記載の電気コネクタ。
【請求項１０】
前記絶縁本体の底壁には、収納槽を対応する第２スロットが形成され、
導電端子の尾部は、第２スロットから下向きに突出することを特徴とする、請求項９に記載の電気コネクタ。
【請求項１１】
前記絶縁本体には、
基部と、
基部の対向する両側から突出する一対の突出部が設けられることを特徴とする、請求項１に記載の電気コネクタ。
【請求項１２】
前記突出部は、
第２定位孔が形成される一対の凸出部片と、
該対の凸出部片の間に形成される凹槽と、を含み、
該凸出部片には、下向きに延在する延在柱が設けられ、
凹槽には、第１定位孔が形成されることを特徴とする、請求項１１に記載の電気コネクタ。
【考案の詳細な説明】
【技術分野】
【０００１】
本考案は電気コネクタに関し、プリンター等の電子機器の接続に用いる電気コネクタに関する。
【背景技術】
【０００２】
電気コネクタは、複数の収納槽が形成される絶縁本体と、対応する収納槽に収納される複数の導電端子と、を備える。各導電端子は、基部と、基部の末端から延在する半田部と、接触部と、接触部の一側から延在し、接触部と基部を連接するＳ字形の弾力部と、を有する。該導電端子は、弾力部によって、弾性変形できる。（例えば、特許文献１参照）。
【特許文献１】特開２０００−３３１７３２号公報
【０００３】
ところで、該弾力部は、接触部の一側から延在する。弾力部が与えられる弾力は、一側だけから接触部に伝えられる。これにより、接触部は、片側に傾斜する弾力を受けることによって、位置を変える可能性がある。又、該Ｓ字形の弾力部は、充分な弾力を提供できない。
【０００４】
従って、本考案は前記の欠点を克服するために一種の新たな電気コネクタを構成する。
【考案の開示】
【考案が解決しようとする課題】
【０００５】
本考案の目的は、こうした従来の問題点を解決した電気コネクタを提供することである。すなわち、従来の技術とは異なり、平衡な充分な弾力を受け、位置を変え難い複数の導電端子を含む電気コネクタが得られるようにすることである。
【課題を解決するための手段】
【０００６】
本考案は電気コネクタに関し、該電気コネクタは、複数の収納槽が形成される絶縁本体と、絶縁本体の収納槽に収納される複数の導電端子と、を備える。前記各導電端子は、接触部と、主体部と、主体部から下向きに延在する尾部と、接触部の対向する両側から対称に下向きに延在して主体部を連接し、互いに離れる少なくとも一対の弾力部と、を含む。各弾力部は、互いに連続する少なくとも三つのＵ字形の折れ曲げ部から形成される。
【考案の効果】
【０００７】
従来の技術に比べると、本考案は以下の長所がある。本考案の電気コネクタの弾力部は、接触部の対向する両側から対称に下向きに延在する。これにより、接触部は、対向する両側から提供される平衡な弾力を受け、位置を変え難い。又、互いに連続する少なくとも三つのU形の折れ曲げ部から形成される弾力部は、従来技術のS形の弾力部より、充分な弾力を提供できる。
【考案を実施するための最良の形態】
【０００８】
図１に示すように、電気コネクタ１は、複数の収納槽１１４が形成される絶縁本体１０と、収納槽１１４に収納される複数の導電端子２０と、を備える。
【０００９】
絶縁本体１は、矩形の基部１１と、基部１１の対向する両側から突出する一対の突出部１２と、を有する。基部１１は、頂壁１１１と、底壁１１２と、複数の側壁１１３と、を具備する。複数の収納槽１１４は、該等の壁１１１、１１２、１１３から包囲される。頂壁１１１と底壁１１２には、それぞれ、複数の収納槽１１４を対応する複数の第１スロット１１５と、第２スロット１１６とが、形成される。
【００１０】
各突出部１２には、第２定位孔１２２が形成される一対の凸出部片１２１と、該対の凸出部片１２１の間に形成される凹槽１２２と、を含む。凸出部片１２１には、延在柱１２５が下向きに延在する。凹槽１２２には、第１定位孔１２３が形成される。該第１定位孔１２３と第２定位孔１２４は、相手コネクタ（図示せず）に電気接続されることを用いる。
【００１１】
図２に示すように、各導電端子２０は、上向きに突出する接触部２１と、接触部２１の対向する側辺から対称に設置される一対の肩部２２と、主体部２４と、主体部２４から下向きに突出する尾部２５と、肩部２２から下向きに延在して主体部２４に連接し、互いに離れる一対の弾力部２３と、を備える。各弾力部２３は、互いに連続する三つのＵ字形の折れ曲げ部２３１から形成される。該対の弾力部２３は、同じ方向に向かって平行に延在して、三つの折れ曲げ部２３１を形成する。他の実施例において、該対の弾力部２３は、対向する方向に向かって対称に延在して、三つの折れ曲げ部２３１を形成する。主体部２４には、スロット２４２が形成される。主体部２４には、該スロット２４２によって、水平に延在し、該対の弾力部２３の末端を連接する連接部２４３が、設けられる。主体部２４の側辺には、複数のクリック部２４１が設けられる。
【００１２】
図２及び図３に示すように、該電気コネクタ１の取付時、先ず、導電端子２０が絶縁本体１０の収納槽１１４に挿入される。肩部２２と弾力部２３と主体部２４は、対応する収納槽１１４に収納される。中でも、肩部２２と主体部２４は、それぞれ、絶縁本体１０の頂壁１１１と底壁１１２に接触する。クリック部２４１は、収納槽１４の内表面に接触する。接触部２１と尾部２５は、それぞれ第１スロット１１５、第２スロット１１６から外向きに突出する。図１において、挿入される導電端子２０は、横方向に沿って互いに交錯する。これにより、導電端子が占めるスペースを減少させる。
【００１３】
該電気コネクタ１は、相手コネクタを電気接続した時、接触部２１は、相手コネクタによって押圧される。これにより、弾力部２３は、弾性変形をする。一対の弾力部２３が互いに離れることと、スロット２４２を形成することと、によって、導電端子２０は、充分な変形スペースが得られる。
【００１４】
本考案の多数の特徴及び長所など、その構造及び機能を前述の記載により共に説明してきた。また、前記の記載や、本考案に基づきなし得る細部の修正或は変更など、いずれも本考案の請求範囲に属するものである。
【産業上の利用可能性】
【００１５】
本考案は電気コネクタに関し、特に、平衡な充分な弾力を受け、位置を変え難い導電端子を含む電気コネクタに関する。
【図面の簡単な説明】
【００１６】
【図１】本考案の電気コネクタの組合せ視図である。
【図２】本考案の電気コネクタの導電端子の斜視図である。
【図３】本考案の図１のＩＩＩ−ＩＩＩの方向に沿った断面図である。
【符号の説明】
【００１７】
１  電気コネクタ
１０  絶縁本体
１１  基部
１２  突出部
２０  導電端子
２１  接触部
２２  肩部
２３  弾力部
２４  主体部
２５  尾部
１１１  頂壁
１１２  底壁
１１３  側壁
１１４  収納槽
１１５  第１スロット
１１６  第２スロット
１２１  凸出部片
１２２  凹槽
１２３  第１定位孔
１２４  第２定位孔
１２５  延在柱
２３１  折れ曲げ部
２４１  クリック部
２４２  スロット
２４３  連接部
【図１】
0003120893.tif 000003
【図２】
0003120893.tif 000004
【図３】
0003120893.tif 000005